(57)【要約】【課題】ユーザーの要望に合わせて、感熱フィルム等の記録媒体のサイズ毎に、複数のマガジンを装填することができ、且つ、マガジンの装填数を増減することが可能であり、さらに、感熱プリンタの設置場所の選択肢を増やすために、マガジンの装填方向も選択することができる装填・枚葉ユニットを提供することにある。【解決手段】画像形成装置に取り付けられる記録媒体の枚葉・装填ユニットであって、前記記録媒体を収容するマガジンを装填する装填部と、前記装填部に装填されたマガジンから記録媒体を取り出して、前記画像形成装置の所定の位置に供給する枚葉機構と、前記装填部および枚葉機構が取り付けられているシャーシとを有し、前記シャーシは、自身が取り付けられる画像形成装置を下部で支持する支持台として作用し、かつ、互いに積層可能な構成を有することにより、前記課題を解決する。【選択図】図１
2007091408.tif 000002
【特許請求の範囲】
【請求項１】
画像形成装置に取り付けられる記録媒体の枚葉・装填ユニットであって、
前記記録媒体を収容するマガジンを装填する装填部と、前記装填部に装填されたマガジンから記録媒体を取り出して、前記画像形成装置の所定の位置に供給する枚葉機構と、前記装填部および枚葉機構が取り付けられているシャーシとを有し、
前記シャーシは、自身が取り付けられる画像形成装置を下部で支持する支持台として作用し、かつ、互いに積層可能な構成を有することを特徴とする枚葉・装填ユニット。
【請求項２】
前記マガジンの装填方向として、互いに直交する２方向が設定され、いずれかを選択可能な請求項１に記載の枚葉・装填ユニット。
【請求項３】
異なるサイズのマガジンを装填可能な請求項２に記載の枚葉・装填ユニット。
【請求項４】
前記装填部および枚葉機構が、前記シャーシに内包されて取り付けられるものであり、前記シャーシ内の装填部および枚葉機構以外の空間が、前記画像形成装置に関連する物品の収容部として作用する請求項１〜３のいずれかに記載の枚葉・装填ユニット。
【発明の詳細な説明】
【技術分野】
【０００１】
本発明は、記録媒体を収容して画像記録装置に装填されるマガジンを装填する枚葉・装填ユニットの技術分野に属し、詳しくは、複数サイズの記録媒体に対応することのできる装填・枚葉ユニットに関する。
【背景技術】
【０００２】
感熱プリンタは、湿式の現像処理が不要であり、かつ、取り扱いが簡単であることから、超音波診断、ＣＴ（Ｃｏｍｐｕｔｅｒｉｚｅｄ  Ｔｏｍｏｇｒａｐｈｙ）診断、ＭＲＩ（Ｍａｇｎｅｔｉｃ  Ｒｅｓｏｎａｎｃｅ  Ｉｍａｇｉｎｇ）診断、Ｘ線診断装置等の各種の医療用診断装置で撮影した医療用画像を再生する感熱プリンタとして利用されている。
周知のように、従来、医療用画像は銀塩写真フィルムに再生されていた。これに対応して、医療用感熱プリンタでも記録媒体であるフィルム状の感熱記録材料（以下、感熱フィルムとする）に画像を記録して、銀塩写真に相当するプリントを出力している。
【０００３】
ところで、医療用診断装置は、装置毎に出力するプリントのサイズ、すなわち、対応する感熱フィルムのサイズが定められている。そのため、医療用画像を再生する感熱プリンタも、接続される装置に応じた１サイズの感熱フィルムのみに対応するのが一般的である。
ところが、近年のＤＩＣＯＭ（Ｄｉｇｉｔａｌ  Ｉｍａｇｅ  ａｎｄ  Ｃｏｍｍｕｎｉｃａｔｉｏｎ  ｉｎ  Ｍｅｄｉｃｉｎｅ「医療用画像データや波形データ等の伝送規格」）の普及や画像ネットワークシステムの進歩により、医療現場でも画像ネットワーク化が進み、１台の感熱プリンタに、異なる複数の装置が接続されることも珍しくなくなっている。そのため、１台の感熱プリンタで複数サイズの感熱フィルムに画像を記録できる、いわゆるマルチサイズ対応の感熱プリンタが普及しつつある。
【０００４】
一般的な医療用の感熱プリンタでは、感熱フィルムはマガジンと呼ばれる専用の容器に収容され、このマガジンを感熱プリンタの所定位置に装填することにより、感熱フィルムが感熱プリンタに供給される。
【発明の開示】
【発明が解決しようとする課題】
【０００５】
ところが、前述のように、従来の感熱プリンタは、基本的に、接続された装置に応じた１サイズの感熱フィルムのみに対応していたので、マルチサイズ対応の感熱プリンタであっても、感熱フィルムを収容するマガジンを装填する装填部は、一箇所しか設けられていないのが現状である。そのため、一台で、複数のサイズの感熱フィルムに画像を記録しようとすると、記録する感熱フィルムのサイズが変わる毎に、感熱フィルムを収納しているマガジンを入れ替えなければならない。
【０００６】
本発明の目的は、前記従来技術に基づく問題点を解消し、ユーザーの要望に合わせて、感熱フィルム等の記録媒体のサイズ毎に、複数のマガジンを装填することができ、且つ、マガジンの装填数を増減することが可能であり、さらに、感熱プリンタの設置場所の選択肢を増やすために、マガジンの装填方向も選択することができる装填・枚葉ユニットを提供することにある。
【課題を解決するための手段】
【０００７】
上記目的を達成するために、本発明は、画像形成装置に取り付けられる記録媒体の枚葉・装填ユニットであって、前記記録媒体を収容するマガジンを装填する装填部と、前記装填部に装填されたマガジンから記録媒体を取り出して、前記画像形成装置の所定の位置に供給する枚葉機構と、前記装填部および枚葉機構が取り付けられているシャーシとを有し、前記シャーシは、自身が取り付けられる画像形成装置を下部で支持する支持台として作用し、かつ、互いに積層可能な構成を有することを特徴とする枚葉・装填ユニットを提供するものである。
【０００８】
本発明においては、前記マガジンの装填方向として、互いに直交する２方向が設定され、いずれかを選択可能なのが好ましい。
【０００９】
また、本発明においては、異なるサイズのマガジンを装填可能なのが好ましい。
【００１０】
また、本発明においては、前記装填部および枚葉機構が、前記シャーシに内包されて取り付けられるものであり、前記シャーシ内の装填部および枚葉機構以外の空間が、前記画像形成装置に関連する物品の収容部として作用するのが好ましい。
【発明の効果】
【００１１】
本発明の装填・枚葉ユニットは、複数のマガジンを装填することを可能にし、これにより、一台の感熱プリンタで、複数サイズの記録媒体に画像を記録することができる。また、マガジンの装填数も、増減することができるので、各種の用途や設置スペースに好適に対応できる。さらに、本発明の装填・枚葉ユニットは、好ましい態様として、マガジンを挿入する方向を、従来の１方向に対して、９０°変更可能にしたことにより、感熱プリンタの設置場所の選択肢を広げることができる。
【発明を実施するための最良の形態】
【００１２】
以下に、添付の図面に示す好適実施形態に基づいて、本発明の装填・枚葉ユニットを詳細に説明する。
【００１３】
図１は、本発明の装填・枚葉ユニットを利用する感熱プリンタの概略図である。また、図２は、本発明の装填・枚葉ユニットの概略斜視図である。なお、図２においては、装填・枚葉ユニットの構造を明確にするために、上段に位置する装填・枚葉ユニット（以下、単に上段の装填・枚葉ユニットとする）の天板部材の図示を省略する。
【００１４】
図１に示す感熱プリンタ（以下、単にプリンタとする）１０は、所定のサイズのカットシートである感熱フィルム（以下、単にフィルムとする）Ａが収納されているマガジン５０を装填し、次いで、マガジン５０からフィルムＡを枚葉し、搬送する本発明の装填・枚葉ユニット１６と、フィルムＡを搬送し、サーマルヘッド１０２によってフィルムＡに感熱記録を行う本体部分１４とで構成される。
なお、以下の説明では、図示例のプリンタ１０において、マガジン５０が装填される側を前面、反対の面を背面とする。
【００１５】
図示例において、プリンタ１０は、本発明の装填・枚葉ユニット１６が２段に積層され、その上に本外部分１４が載置され、構成されている。すなわち、図示例のプリンタ１０は、各装填・枚葉ユニット１６が、各々、マガジン５０を有するため、互いに異なるサイズのフィルムＡを収容するマガジン５０を装填することで、マガジン５０の交換を行わなくても、異なる２種のサイズのフィルムＡに感熱記録画像を記録することが可能である。
【００１６】
また、本発明の装填・枚葉ユニット１６は、互いに積層自在な構造であるため、図示例においては、本発明の枚葉・装填ユニット１６は、２段に積層され、その上に本体部分１４が載置されて、プリンタ１０を構成しているが、これに限定されず、３段以上積層され、その最上に本体部分１４が載置されて、プリンタ１０を構成してもよい。例えば、５種類のフィルムＡを処理する場合には、本発明の装填・枚葉ユニット１６は、５段に積層され、その最上に本体部分１４が載置されて、プリンタ１０を構成してもよい。
なお、積層構造が必要で無い場合は、本発明の装填・枚葉ユニット１６を一段のみにし、その上に本体部分１４を載置して、プリンタ１０を構成してもよい。
従って、本発明の装填・枚葉ユニット１６は、積層構造を成すことにより、複数のマガジンを装填することを可能にし、これにより、一台のプリンタ１０で複数サイズのフィルムＡに画像を記録することができる。
【００１７】
また、本発明の装填・枚葉ユニット１６は、上述のように積層構造を成すにあたって、装填・枚葉ユニットの電気系統を制御する電源や指示を送るセンサ等が、積み重ねる際に容易に接続することができるように配置されている。
【００１８】
本発明の装填・枚葉ユニット１６は、上述のようにマガジン５０を装填し、このマガジン５０からフィルムＡを枚葉し、本体部分１４に搬送するものであり、ユニットシャーシ２０と、マガジンユニット２２と、支柱部材２４と、最終的に本体部分１４にフィルムＡを搬送するためにもちいられる搬送手段５４とを有し構成される。
【００１９】
ユニットシャーシ２０は、後に詳述するマガジンユニットを載置する剛性フレームである。このユニットシャーシ２０は、図示例において、マガジンユニット２２を載置される載置面となる矩形の板状部材（以下、載置面とする）３０と、載置面３０上の４隅に設けられる支柱３２ａ〜３２ｄと、この支柱３２ａ〜３２ｄが４隅と一致するように、支柱３２上に設けられ、ユニットシャーシ２０の天板となる矩形の天板部材（以下、単に天板とする）３４とで構成される。
なお、ユニットシャーシ２０の前面側に位置する支柱３２ａおよび３２ｃのうち、図２中手前側に示す支柱３２ａは、図２に示す矢印Ｘ方向（ユニットシャーシ２０の前面から背面に向う方向、マガジン５０の装填方向）に公知の手段でスライド可能な構造となっている。
また、ユニットシャーシ２０は、天板３４に本体部分１４、載置面３０にマガジンユニット２２を載置するのに充分な強度を有し、且つ、自身を複数個積み重ねることが可能な強度を有するものであれば、特に限定はなく、公知のフレームを用いてもよい。
また、ユニットシャーシ２０の載置面３０および天板３４の背面側には、各々、フィルムＡを搬送するために用いられる搬送孔１３４ａ、１３４ｂが設けられている。
【００２０】
マガジンユニット２２は、フィルムＡを収納しているマガジン５０を装填する装填部４０と、マガジン５０からフィルムＡを枚葉し、搬送する枚葉・搬送部４２とで構成されている。
また、マガジンユニット２２の背面には、後に述べる搬送ガイド９６を挿入する挿通孔１３０が設けられている。
【００２１】
装填部４０は、フィルムＡを収容するマガジン５０を装填する部位である。マガジン５０は、開閉自在な蓋体５２を有する筐体である。
フィルムＡは、透明なポリエチレンテレフタレート（ＰＥＴ）フィルムなどのフィルムや紙等を支持体として、その一面に感熱記録層を形成してなるものである。このようなフィルムＡは、通常、１００枚等の所定単位の積層体（束）とされて袋体や帯等で包装され、所定単位のまま感熱記録層を下面としてマガジン５０に収容される。
【００２２】
このようなマガジン５０を装填する装填部４０は、図示例のマガジンユニット２２の外装５６に形成された挿入口５８と、案内板６０と、停止部材６４とを有して構成される。
【００２３】
案内板６０は、マガジンユニット２２の外装５６の一部であり、マガジンユニット２２の底面の肉厚部分４４と共に、マガジン５０を上下面で狭持して、マガジン５０の上下面の位置決めを行うものである。
マガジン５０は、蓋体５２側を先にして、図２中矢印Ｘ方向から、マガジンユニット２２に挿入され、マガジンユニット２２の底面の肉厚部分４４と案内板６０とによって案内されつつ、停止部材６４に当接する位置まで押し込まれることにより、マガジンユニット２２の所定位置に装填される。
【００２４】
図示例においては、枚葉・搬送部４２は、吸盤６６を有する枚葉機構（図示せず）と、搬送手段６８とで構成される。
【００２５】
枚葉機構（図示せず）は、吸盤６６を用いて、マガジンユニット２２に装填されたマガジン５０からフィルムＡを取り出すものである。
【００２６】
搬送手段６８は、搬送ローラ７０、この搬送ローラ７０と同軸のプーリ７２、回転駆動源（図示せず）に接続されるプーリ７４、テンションプーリ７６、この３つのプーリに張架されるエンドレスベルト７８、および、搬送ローラ７０に押圧されるニップローラ８０とを有して構成され、吸盤６６によって枚葉されたフィルムＡの先端を搬送ローラ７０とニップローラ８０とによって挟持して、フィルムＡを搬送するものである。
【００２７】
支柱部材２４は、マガジンユニット２２の上面において低くなっている部分に設けられ、ユニットシャーシ２４の天板部材３４を支える四角柱状の部材である。
この支柱部材２４を設けることにより、上述の支柱３２が、矢印Ｘ方向のいずれの場所に移動しても、ユニットシャーシ２０を安定に支えることができる。
【００２８】
搬送手段５４は、本発明の装填・枚葉ユニット１６から最終的に本体部分１４にフィルムＡを搬送することができるように、マガジンユニット２２から本体部分１４または上段に位置する装填・枚葉ユニット１６まで、または、下段に位置する装填・枚葉ユニット１６から上段に位置する本体部分１４または装填・枚葉ユニット１６まで、適切にフィルムＡを搬送するために用いられるものであり、ガイドや搬送ローラ対等、公知の搬送手段が用いられる。
【００２９】
図示例において、搬送手段５４は、搬送ガイド９６と、搬送ガイド９７と、搬送ローラ対１３２とを有し、搬送ガイド９６は、装填・枚葉ユニット１６の枚葉・搬送部４２の搬送手段６８付近からマガジンユニット２２の挿通孔１３０を通って、装填・枚葉ユニット１６の搬送孔１３４ａ付近に位置するように設置され、搬送ガイド９７は、装填・枚葉ユニット１６の搬送孔１３４ｂから搬送孔１３４ａ付近に位置するように設置される。また搬送ローラ対１３２は、各々のガイドの適切な位置に設置される。
【００３０】
なお、本発明の装填・枚葉ユニット１６には、勿論、２段以上の多段構成に対応可能なように、適切な搬送手段５４が具備されているが、本例においては、上段の装填・枚葉ユニット１６、下段の装填・枚葉ユニット１６、共に、図示例の構成において用いられる搬送手段５４のみを図示している。また、図示例において、下段の装填・搬送ユニット１６の搬送孔１３２ｂは、必要に応じて、適当な部材を挿入し、閉塞しても良い。
【００３１】
本体部分１４は、搬送部９０と、サーマルヘッド１０２によってフィルムＡに感熱記録を行う記録部９２と、搬出部９４とを有する。
なお、本体部分１４の底面の背面側にも、装填・枚葉ユニット１６の搬送孔１３４ａと対応する位置に、フィルムＡを搬送するために必要な搬送孔１３４ｃが設けられている。
【００３２】
図示例においては、搬送部９０は、装填・枚葉ユニット１６から記録部９２にフィルムＡを搬送する部位であり、ガイド９８と、規制ローラ対１００とを有して構成される。
【００３３】
ガイド９８は、搬送孔１３２ｃから規制ローラ対１００に対応する位置に設けられ、装填・枚葉ユニット１６から搬送されるフィルムＡを規制ローラ対１００まで案内するものである。
さらに、規制ローラ対１００は、装填・枚葉ユニット１６からガイド９８によって搬送されたフィルムＡの先端位置を規制して、記録部９２にフィルムＡを搬送するものである。規制ローラ対１００は、フィルムＡが搬送された当初は狭持状態で停止しており、従って、フィルムＡの先端は、この規制ローラ対１００に当接して停止する。図示例のプリンタ１０においては、その後、記録部９２における記録開始に応じた所定のタイミングで規制ローラ対１００を駆動することにより、先端位置合わせをして、規制ローラ対１００によって記録部９２にフィルムＡを搬送する。
【００３４】
次に、本発明の装填・枚葉ユニット１６の効果をより詳しく説明するために、プリンタ１０の作用について説明する。
【００３５】
図示例において、上段の装填・枚葉ユニット１６に装填されているマガジン５０が収容するフィルムＡに対する感熱記録開始の指示が出されると、開閉機構がマガジン５０の蓋体５２を開放して、吸盤６６がフィルムＡを一枚取り出し、フィルムＡの先端を搬送手段６８（搬送ローラ７０およびニップローラ８０）に供給する。搬送ローラ７０およびニップローラ８０によってフィルムＡを狭持した時点で、吸盤６６によるフィルムＡの吸引は開放する。供給されたフィルムＡは、搬送ガイド９６、次いで、搬送ガイド９８によって案内されつつ、規制ローラ対１００に搬送される。なお、記録にともされるフィルムＡがマガジン５０から完全に排出された時点で前記開閉手段によって蓋体５２が閉塞される。
【００３６】
他方、図示例において、下段の装填・枚葉ユニット１６に装填されているマガジン５０が収容するフィルムＡに対する感熱記録開始の指示が出されると、開閉機構がマガジン５０の蓋体５２を開放して、吸盤６６がフィルムＡを一枚取り出し、フィルムＡの先端を搬送手段６８（搬送ローラ７０およびニップローラ８０）に供給する。搬送ローラ７０およびニップローラ８０によってフィルムＡを狭持した時点で、吸盤６６によるフィルムＡの吸引は開放する。供給されたフィルムＡは、搬送ローラ対１３２の搬送され、搬送ガイド９６、搬送ガイド９７、次いで、搬送ガイド９８によって案内されつつ、規制ローラ対１００に搬送される。なお、記録にともされるフィルムＡがマガジン５０から完全に排出された時点で前記開閉手段によって蓋体５２が閉塞される。
以下は、いずれの装填・枚葉ユニット１６から搬送されたフィルムＡに対しても同様の処理がなされる。
【００３７】
上述のように規制ローラ対１００は、最初は停止しており、フィルムＡの先端はここで一旦停止して位置決めされる。
このフィルムＡの先端が規制ローラ対１００に至った時点で、サーマルヘッド１０２の温度が確認され、サーマルヘッドの温度が所定温度であれば、規制ローラ対１００によるフィルムＡの搬送が開始され、フィルムＡは、記録部９２に搬送させる。
【００３８】
図３に記録部９２の概略図を示す。記録部９２は、サーマルヘッド１０２、プラテンローラ１０４、クリーニングローラ対１０６、サーマルヘッド１０２を冷却する冷却ファン１０８（図１参照）およびガイド１１０を有する。
サーマルヘッド１０２は、例えば、約３００ｄｐｉの記録（画素）密度の感熱記録を行うものであって、フィルムＡの感熱記録を行う発熱素子となる発熱抵抗体が多数一方向（図１および図３中紙面と垂直な長手方向）に配列されるグレーズ１１２ａが形成されたアルミナセラミックス等の耐熱性に優れた電気絶縁材料からなるセラミック基板１１２ｂと、セラミック基板１１２ｂのグレーズ１１２ａと、ベース１１２ｄと、このベース１１２ｄの他方の面に固定され、多数の放熱フィンを持つアルミニウム等の金属製のヒートシンク１１２ｃとを有する。サーマルヘッド１０２は、支点１１４ａを中心に矢印ａ方向および逆方向に回転自在な支持部材１１４に支持されている。
【００３９】
プラテンローラ１０４は、フィルムＡを所定位置に保持しつつ所定の画像記録速度で回転し、主走査方向と直交する方向（図３中の矢印ｂ方向）にフィルムＡを搬送する。
クリーニングローラ対１０６は、弾性体である粘着ゴムローラ１０６ａと、通常のローラ1０６ｂとからなるローラ対であり、粘着ゴムローラ１０６ａがフィルムＡの感熱記録層に付着したゴミ等を除去して、グレーズ１１２ａへのゴミの付着や、ゴミが感熱記録に悪影響を与えることを防止する。
【００４０】
図示例のプリンタ１０において、フィルムＡが搬送される前は、支持部材１１４は上方（矢印ａ方向と逆の方向）に回動しており、サーマルヘッド１０２（グレーズ１１２ａ）とプラテンローラ１０４とは接触していない。
前述の規制ローラ対１００による搬送が開始されると、フィルムＡは、次いで、クリーニングローラ対１０６に挟持され、さらに、ガイド１１６によって案内されつつ搬送される。フィルムＡの先端が記録開始位置（グレーズ１１２ａに対応する位置）に搬送されると、支持部材１１４が矢印ａ方向に回動して、フィルムＡがサーマルヘッド１０２のグレーズ１１２ａとプラテンローラ１０４とで挟持されて、記録層にグレーズ１１２ａが押圧された状態となり、フィルムＡはプラテンローラ１０４によって所定位置に保持されつつ、プラテンローラ１０４によって矢印ｂ方向に搬送される。
なお、本発明に適用することができる記録方法としては、パルス幅変調に限定されず、一定の印加時間の下、濃度に応じて電圧を変調する強度変調によるものであってもよい。
【００４１】
感熱記録が終了したフィルムＡは、ガイド１１０に案内されつつ、プラテンローラ１０４および搬送ローラ対１１８に搬送されて排出部９４のトレイ１２０に排出される。トレイ１２０は、ハウジング１２２に形成された排出口１２４を経てプリンタ１０の外部に突出しており、画像が記録されたフィルムＡは、この排出口１２４を経て外部に排出され、取り出される。
【００４２】
なお、本発明の装填・枚葉ユニット１６においては、上記マガジンユニット２２の背面側は、装填されたマガジン５０の蓋体５２が開閉可能なように設計されているため、マガジン５０が装填されている前面側と比較して高さを有する。一方、マガジンユニット２２の前面側の上空には、空きスペースが生じる。そこで、本発明の装填・枚葉ユニット１６は、少なくともこのスペースに、装填・枚葉ユニット１６の駆動に係る電源ユニットや基板等を設置する収容部を設けてもよいし、フィルムＡを装填する際に用いるカッタ等の関連部品類や付属品類を収納するための収容部を設けても良い。
【００４３】
また、本発明の装填・枚葉ユニット１６において、マガジン５０は、図２中矢印Ｘ方向から装填されているが、本発明においては、上述したように、支柱３２ａが図２中矢印Ｘ方向にスライド可能な構造であるため、支柱３２ａを図２に点線で示す位置に移動させることにより、マガジン５０を矢印Ｘ方向から反時計回りに回転した方向（矢印Ｙ方向）から装填することができる。すなわち、本発明の装填・枚葉ユニット１６は、図２中矢印Ｘ方向および矢印Ｙ方向のいずれの方向からも装填することができる。
【００４４】
また、本発明の装填・枚葉ユニット１６は、図２に示すように、マガジンユニット２２の前面の挿入口５８において、図２中手前側の矢印Ｙ方向の制限がないため、１サイズのマガジン５０だけではなく、異なるサイズのマガジンを装填することができる。
【００４５】
また、図示例において、本発明の装填・枚葉ユニット１６には、外装等を設けていないが、本発明はこれに限定されず、外装等を設けてもよい。この場合、本体部分１４および本発明の装填・枚葉ユニット１６の全体を外装で覆っても良いし、本体部分１４が常に外装に覆われているものであれば、本発明の本発明の装填・枚葉ユニット１６のみに外装覆っても良い。
【００４６】
本発明は、基本的に以上のようなものである。
以上、本発明の装填・枚葉ユニットについて詳細に説明したが、本発明は上記実施形態に限定されず、本発明の主旨を逸脱しない範囲において、種々の改良や変更をしてもよいのはもちろんである。
【図面の簡単な説明】
【００４７】
【図１】本発明に係る感熱プリンタの一実施形態の概略断面図である。
【図２】本発明の装填・枚葉ユニットを示す概略斜視図である。
【図３】本発明に係る感熱プリンタの記録部の概略断面図である。
【符号の説明】
【００４８】
１０  感熱プリンタ
１４  本体部分
１６  装填・枚葉ユニット
２０  ユニットシャーシ
２２  マガジンユニット
２４  支柱部材
３０  載置面
３２  支柱
３４  天板
４０  装填部
４２  枚葉・搬送部
４４  肉厚部
５０  マガジン
５２  蓋
５４  搬送手段
５６  外装
５８  挿入口
６０  案内板
６４  停止部材
６６  吸盤
６８  搬送手段
７０  搬送ローラ
７２  プーリ
７４  プーリ
７６  テンションプーリ
７８  エンドレスベルト
８０  ニップローラ
９０  搬送部
９２  記録部
９４  排出部
９６，９７  搬送ガイド
９８  ガイド
１００  規制ローラ対
１０２  サーマルヘッド
１０４  プラテンローラ
１０６，１３２  搬送ローラ対
１０８  ヒーター
１１０，１１６  ガイド
１１８  排出ローラ
１２０  トレイ
１２２  ハウジング
１２４  排出口
１３０  挿通口
１３２  ローラ対
１３４ａ，１３４ｂ，１３４ｃ  搬送孔
【図１】
2007091408.tif 000003
【図２】
2007091408.tif 000004
【図３】
2007091408.tif 000005